(57)【要約】【課題】機器操作装置において煩わしい操作なく説明モードを自在に閲覧可能とする。【解決手段】機器本体の状態等を示す待機画面を表示する表示部５と、決定スイッチ１０および戻るスイッチ１２を含むスイッチと、機器本体の機能に関する説明を表示部５に表示する説明モードとを備え、説明モードの説明画面から機能の設定画面に遷移可能とした機器操作装置であって、説明モードでは、表示部５に、説明を表示させたい機能の項目リスト１５を示すリスト画面を表示し、スイッチ操作によってリスト１５中から選択項目が決定されると、該選択項目に対応する説明文を示す説明画面を表示し、機能の設定変更に関する説明画面で、決定スイッチ１０が操作されると、機能の設定を変更可能とした設定画面を表示し、説明画面および設定画面では、戻るスイッチ１２が操作されると、リスト画面に戻るようにした。【選択図】図２
2014164410.tif 000002
【特許請求の範囲】
【請求項１】
機器本体の状態等を示す待機画面を表示する表示部と、決定スイッチおよび戻るスイッチを含むスイッチと、機器本体の機能に関する説明を前記表示部に表示する説明モードとを備え、前記説明モードの説明画面から前記機能の設定画面に遷移可能とした機器操作装置であって、前記説明モードでは、前記表示部に、説明を表示させたい前記機能の項目リストを示すリスト画面を表示し、前記スイッチ操作によって前記リスト中から選択項目が決定されると、該選択項目に対応する説明文を示す説明画面を表示し、機能の設定変更に関する説明画面で、前記決定スイッチが操作されると、機能の設定を変更可能とした設定画面を表示し、前記説明画面および前記設定画面では、前記戻るスイッチが操作されると、前記リスト画面に戻るようにしたことを特徴とする機器操作装置。
【請求項２】
前記設定画面で設定変更を確定させるため前記決定スイッチが操作されると、設定が変更されると共に前記待機画面に戻るようにしたことを特徴とする請求項１記載の機器操作装置。
【発明の詳細な説明】
【技術分野】
【０００１】
本発明は、給湯機等に用いられる機器操作装置に関するものである。
【背景技術】
【０００２】
従来よりこの種のリモコン装置等の機器操作装置においては、特許文献１のように、リモコン操作に従って操作方法や機能説明をリモコン表示部に表示する説明モードを有し、説明モードの説明画面から機能の設定画面に遷移可能としたたものがあった。
【先行技術文献】
【特許文献】
【０００３】
【特許文献１】特開２００９−２５３９４６号公報
【発明の概要】
【発明が解決しようとする課題】
【０００４】
しかし、この従来のものは、設定画面が表示されている状態で戻るスイッチを操作すると、一つ前の画面である説明画面に戻るようにしているものであったが、設定画面に遷移してから、変更したい項目が表示中の設定項目ではなかったことに気付いたり、全ての設定画面を順次確認していきたい場面においては、他のリスト項目を選択するためには、説明画面に戻った後に、再度戻るスイッチを操作してリスト画面に戻る必要があり、操作が煩わしいものであった。
【課題を解決するための手段】
【０００５】
そこで、本発明は上記課題を解決するため、機器本体の状態等を示す待機画面を表示する表示部と、決定スイッチおよび戻るスイッチを含むスイッチと、機器本体の機能に関する説明を前記表示部に表示する説明モードとを備え、前記説明モードの説明画面から前記機能の設定画面に遷移可能とした機器操作装置であって、前記説明モードでは、前記表示部に、説明を表示させたい前記機能の項目リストを示すリスト画面を表示し、前記スイッチ操作によって前記リスト中から選択項目が決定されると、該選択項目に対応する説明文を示す説明画面を表示し、機能の設定変更に関する説明画面で、前記決定スイッチが操作されると、機能の設定を変更可能とした設定画面を表示し、前記説明画面および前記設定画面では、前記戻るスイッチが操作されると、前記リスト画面に戻るようにした。
【０００６】
また、前記設定画面で設定変更を確定させるため前記決定スイッチが操作されると、設定が変更されると共に前記待機画面に戻るようにした。
【発明の効果】
【０００７】
本発明によれば、設定画面が表示されている状態で戻るスイッチが操作されると、説明画面をスキップしてリスト画面に戻るため、設定画面に遷移してから、変更したい項目が表示中の設定項目ではなかったことに気付いたり、全ての設定画面を順次確認していきたい場面においては、少ない操作回数で他の項目の説明画面に遷移することができ、操作感が向上する。
【０００８】
また、設定画面で設定を確定した後は自動的に待機画面に戻るので、待機画面に戻るまでの複数回の戻るスイッチの操作が不要となり、操作感が向上する。
【図面の簡単な説明】
【０００９】
【図１】本発明の一実施形態の概略構成図
【図２】同一実施形態の画面遷移を説明する図
【発明を実施するための形態】
【００１０】
次に、本発明の一実施形態のヒートポンプ貯湯式給湯機の機器操作装置であるリモコン装置について、図面に基づいて説明する。
１はヒートポンプ貯湯式給湯機で、湯水を加熱するヒートポンプ式加熱ユニット２と、ヒートポンプ式加熱ユニット２で加熱された湯水を貯湯する貯湯タンクを備えて図示しない給湯栓や浴槽等に給湯設定温度の湯水を給湯する貯湯タンクユニット３と、給湯設定温度を変更操作したりヒートポンプ貯湯式給湯機１の作動状態や設定状態を表示するリモコン装置４とで構成されている。
【００１１】
リモコン装置４は、ドットマトリクス型液晶等からなる表示部５と、浴槽へ１８０Ｌ程度の所定量の湯はりを行わせるふろ自動スイッチ６、図示しない他のリモコン装置とインターホン通話するための通話スイッチ７、浴槽水を加熱する追いだきを行わせる追いだきスイッチ８、上下左右の指示を行うための十字スイッチ９、十字スイッチ９の真ん中に設けられた決定スイッチ１０、表示部５のリモコン装置４の操作方法や機能に関する説明を表示させる説明モードスイッチ１１、一つ前の操作画面に戻るための戻るスイッチ１２等の操作部と、リモコン装置４内部に設けられてリモコン制御を行うリモコン制御部１３とを備えて構成されている。ここで、リモコン制御部１３は、ＭＰＵ等の論理回路を有して操作部のスイッチ操作や機器本体からの命令を受け、メモリを参照しつつ予め記憶されているプログラムに従って表示部５へ表示データを出力している。
【００１２】
次に、ユーザーによって説明モードスイッチ１１が操作されて操作方法や機能に関する説明モードが開始された際の作動について、図２に基づいて説明する。
【００１３】
説明モードスイッチ１１が操作されると、表示部５にそれまで表示されていた給湯温度や現在時刻、貯湯タンク内の残湯量などの待機画面表示（図２（Ａ）参照）から図２（Ｂ）の説明を表示させたい操作方法や機能のリスト画面が表示され、十字スイッチ９の上下操作によって選択カーソル１４を上下させて項目リスト１５中から説明を表示させたい操作方法や機能の項目を選択可能としている。
【００１４】
このリスト画面では、画面中央に項目リスト１５を表示すると同時に、下帯領域に「上下ＳＷで選択、決定ＳＷで決定」する旨の操作案内が表示され、間違いのない操作を案内している。
【００１５】
そして、いずれかの項目を選択した状態で決定スイッチ１０が操作されると、図２（Ｃ）の説明画面に遷移し、画面上帯領域に項目リスト名称、画面中央に説明文が表示され、表示中の項目リストに対応する機能の設定変更が可能な場合は、説明文の下に「決定で、設定画面に移動」する旨の案内を表示する。
【００１６】
設定画面に移動が可能な旨の案内が表示されている説明画面で決定スイッチ１０が操作されると、説明画面で説明された内容に対応する機能の設定変更が可能な設定画面（図２（Ｄ））へ遷移し、設定変更を可能としている。
【００１７】
ここで図２に示す一例では、リスト画面では「数日間お湯を使用しないとき」のリスト項目が選択され、これに対応する説明文として「旅行などで数日間お湯を使用しないときに、沸上げを休止することができます。」との旨が説明画面に表示され、対応する設定画面としては、沸上げを休止する期間を設定する休止設定の画面が表示されるようにしている。
【００１８】
そして、休止設定の日数を十字スイッチ９の上下操作で変更し、決定スイッチ１０が操作されると、設定された日数だけ沸上げ休止することが確定すると同時に、図２（Ａ）の待機画面へ戻るようにしている。
【００１９】
このようにして、設定画面で設定を確定した後は自動的に待機画面に戻るので、待機画面に戻るまでの複数回の戻るスイッチの操作が不要となり、操作感が向上する。
【００２０】
一方、図２（Ｄ）の設定画面が表示されている状態で、変更したい項目が表示中の設定項目ではなかったことに気付いたり、全ての設定画面を順次確認していきたい場面であったときなどに戻るスイッチ１２が操作されると、図２（Ｃ）の説明画面をスキップして、図２（Ｂ）のリスト画面に戻るようにしている。
【００２１】
このようにして、説明画面が表示されている状態で戻るスイッチ１２が操作されると、一つ前の画面であるリスト画面に戻る一方で、設定画面が表示されている状態で戻るスイッチ１２が操作されると、説明画面をスキップしてリスト画面に戻るため、設定画面に遷移してから、変更したい項目が表示中の設定項目ではなかったことに気付いたり、全ての設定画面を順次確認していきたい場面においては、少ない操作回数で他の項目の説明画面に遷移することができ、煩わしい操作を回避して自在に説明モード内を閲覧することができて操作感が向上する。
【００２２】
なお、本発明は上記一実施形態に限定されるものではなく、発明の要旨を変更しない範囲で改変可能なものであり、機器本体に一体に機器操作装置が設けられた構成としてもよいものであり、また、具体的画面構成は、本発明の意図する範囲内において種々に設計変更してもよいものであり、また、操作部はタッチパネル式のものであってもよいものである。
【００２３】
また、リスト画面におけるリスト項目や、説明画面における説明文、あるいは設定画面における設定内容は、上記一実施形態の内容に限定されるものではなく、本発明の意図する範囲内において種々に設計変更してもよいものである。
【符号の説明】
【００２４】
５  表示部
９  十字スイッチ
１０  決定スイッチ
１１  説明モードスイッチ
１２  戻るスイッチ
１５  項目リスト
【図１】
2014164410.tif 000003
【図２】
2014164410.tif 000004